(57)【要約】【課題】本体に対して上下軸心周りで扉が開かれた状態で、その本体と開かれた扉との間の雨除け対象空間だけでなく、その雨除け対象空間の出入り口をも雨除け行うこと。【解決手段】シート１は、本体２０１の横幅方向に沿って本体２０１の上部に配置可能な第１端辺部Ｔ１と、その第１端辺部Ｔ１の交差端部Ｃに交差して開かれた扉２０２の横幅方向に沿って扉２０２の上部に配置可能な第２端辺部Ｔ２とを有し、本体２０１に対するシート１の取付姿勢は、第１端辺部Ｔ１と第２端辺部Ｔ２との間の途中で交差端部Ｃから離れる側の端部を最上位部Ｓとし、その最上位部Ｓから第１端辺部Ｔ１及び第２端辺部Ｔ２に向けて傾斜する傾斜姿勢に構成されている。【選択図】図２
2016006580.tif 000002
【特許請求の範囲】
【請求項１】
本体に対して上下軸心周りで扉が開かれた状態で、その本体と開かれた前記扉との間の雨除け対象空間の上部を覆うように取付自在なシートを備えた雨除け具であって、
前記シートは、前記本体の横幅方向に沿って前記本体の上部に配置可能な第１端辺部と、その第１端辺部の交差端部に交差して開かれた前記扉の横幅方向に沿って前記扉の上部に配置可能な第２端辺部とを有し、
前記本体に対する前記シートの取付姿勢は、前記第１端辺部と前記第２端辺部との間の途中で前記交差端部から離れる側の端部を最上位部とし、その最上位部から前記第１端辺部及び前記第２端辺部に向けて傾斜する傾斜姿勢に構成されている雨除け具。
【請求項２】
前記第１端辺部及び前記第２端辺部と略同じ高さ又はそれよりも上方側に配置されて、前記シートの取付姿勢を前記傾斜姿勢に維持する姿勢維持部が備えられている請求項１に記載の雨除け具。
【請求項３】
前記姿勢維持部は、前記第１端辺部及び前記第２端辺部における前記交差端部から離れる側の端部同士に亘るように備えられている請求項２に記載の雨除け具。
【請求項４】
前記シートを下方側から支持するフレームが備えられ、前記シート及び前記フレームは、平面視で前記交差端部から前記最上位部に向けて延びる基準線を中心として左右に備えられ、且つ、その基準線に沿って折り畳み自在に構成されている請求項１〜３の何れか１項に記載の雨除け具。
【請求項５】
前記フレームとして、前記第１端辺部を支持して前記本体の上部に取付自在な第１フレームと、前記第２端辺部を支持して前記扉の上部に取付自在な第２フレームと、前記交差端部から前記基準線に沿って延設されて前記最上位部を支持するように隣接配置された２つの第３フレームと、前記第１フレームと一方の前記第３フレームにおける前記交差端部から離れる側の端部同士を連結する第４フレームと、前記第２フレームと他方の前記第３フレームにおける前記交差端部から離れる側の端部同士を連結する第５フレームとが備えられ、２つの前記第３フレームは、前記基準線に沿う軸心周りで回転自在に連結されている請求項４に記載の雨除け具。
【請求項６】
前記第４フレーム及び前記第５フレームは、その途中部にて折り畳み自在に構成されている請求項５に記載の雨除け具。
【発明の詳細な説明】
【技術分野】
【０００１】
本発明は、本体に対して上下軸心周りで扉が開かれた状態で、その本体と開かれた扉との間の雨除け対象空間における雨除けを行う雨除け具に関する。
【背景技術】
【０００２】
扉が本体に対して上下軸心周りで開閉自在に備えられたものとして、例えば、自動販売機がある。この自動販売機では、自動販売機本体に対して扉を開き、その自動販売機本体と扉との間に作業空間を確保し、その作業空間を利用して商品の補充作業等を行っている。自動販売機は、屋外に設置されているものもあるので、商品の補充作業等を行う場合に、商品や商品を梱包している段ボール箱等が雨水に濡れないようにすることが望まれている。
【０００３】
そこで、従来、本体に対して上下軸心周りで扉が開かれた状態で、その本体と開かれた扉との間の作業空間を雨除け対象空間とし、その雨除け対象空間の上部を覆うようにシートを取り付ける雨除け具が提案されている（例えば、特許文献１〜３参照。）。
【０００４】
特許文献１、２に記載の雨除け具では、一端部が枢支連結された第１フレームと第２フレームとが備えられ、第１フレームを本体の横幅方向に沿って延びるように本体の上部に取り付け、第２フレームを開かれた扉の横幅方向に沿って延びるように扉の上部に取り付け、第１フレームと第２フレームとに亘って延びる状態でシートを配置することで、雨除け対象空間の上部をシートにて覆うようにしている。また、第１フレームと第２フレームとの枢支連結箇所に、一端部が枢支連結された第３フレームを備え、その第３フレームを、第１フレームと第２フレームとの間で対角状に延びるように配置することで、第１フレームと第２フレームとの間のシートを下方側から支持している。
【０００５】
特許文献３に記載の雨除け具では、上下方向に延びる第４フレームと平面視でその第４フレームから放射状に延びるように展開自在な複数の第５フレームとが備えられ、第５フレームにおける展開側の先端部を本体の上部及び開かれた扉の上部に掛け渡し、第４フレームを中心として展開された複数の第５フレームの展開側の先端部まで延びるようにシートを配置することで、雨除け対象空間の上部をシートにて覆うようにしている。
【先行技術文献】
【特許文献】
【０００６】
【特許文献１】実開平３−５８７８３号公報
【特許文献２】特開２０００−２２７９７３号公報
【特許文献３】特開２０００−１３７８６４号公報
【発明の概要】
【発明が解決しようとする課題】
【０００７】
上記特許文献１、２に記載の雨除け具では、雨除け対象空間の上部を覆うシートの全体が平坦状になるように配置されているので、シートの全体に亘ってその上部に雨水が滞留し易くなっている。よって、雨水が滞留すると、その滞留した雨水を取り除く作業等を行わなければならず、作業手間がかかるものとなっている。また、広範囲に亘って雨水が滞留した場合には、その雨水の自重によってシートが外れてしまう等の不都合を生じる可能性があることから、本体や扉に対するフレームの取付強度を強固にする等の処置が新たに必要となり、構成の複雑化やコストアップを招くことにもなる。
【０００８】
上記特許文献３に記載の雨除け具では、シートが、第４フレームの上端部を最上位とし、その周端部側ほど下方側に位置する放射状に傾斜するように配置されているので、その傾斜によって雨水がシートの周端部側に案内され、雨水の滞留を抑制することができる。しかしながら、シートの傾斜は、第４フレームの上端部を中心とする放射状に傾斜しているので、雨除け対象空間において、扉の開閉端部側に開放された出入り口側にも傾斜する傾斜面が存在している。これにより、雨除け対象空間の出入り口側に雨水が案内され、出入り口を出入りする作業者等に雨水がかかることになる。
【０００９】
この実情に鑑み、本発明の主たる課題は、本体に対して上下軸心周りで扉が開かれた状態で、その本体と開かれた扉との間の雨除け対象空間だけでなく、その雨除け対象空間の出入り口をも雨除け行うことができる雨除け具を提供する点にある。
【課題を解決するための手段】
【００１０】
本発明の第１特徴構成は、本体に対して上下軸心周りで扉が開かれた状態で、その本体と開かれた前記扉との間の雨除け対象空間の上部を覆うように取付自在なシートを備えた雨除け具であって、
前記シートは、前記本体の横幅方向に沿って前記本体の上部に配置可能な第１端辺部と、その第１端辺部の交差端部に一端部が交差して開かれた前記扉の横幅方向に沿って前記扉の上部に配置可能な第２端辺部とを有し、
前記本体に対する前記シートの取付姿勢は、前記第１端辺部と前記第２端辺部との間の途中で前記交差端部から離れる側の端部を最上位部とし、その最上位部から前記第１端辺部及び前記第２端辺部に向けて傾斜する傾斜姿勢に構成されている点にある。
【００１１】
本特徴構成によれば、本体に対するシートの取付姿勢が傾斜姿勢となっているので、最上位部から第１端辺部及び第２端辺部に向かう傾斜によって雨水が案内され、シートの上部での雨水の滞留を抑制することができる。傾斜姿勢に取り付けられたシートは、第１端辺部と第２端辺部との間の途中で交差端部から離れる側の端部を最上位部としており、その最上位部となる箇所が雨除け対象空間の出入り口側となっている。これにより、シートの傾斜は、雨除け対象空間の出入り口側から第１端辺部が配置される本体の上部又は第２端辺部が配置される扉の上部に向かう傾斜となるので、雨除け対象空間の出入り口側に雨水が案内されるのを抑制しながら、本体の上部又は扉の上部に雨水を案内することができる。このようにして、雨除け対象空間だけでなく、その雨除け対象空間の出入り口をも雨除け行うことができながら、傾斜姿勢にてシートを取り付けるという簡易な構成で使い勝手が良いものとなる。
【００１２】
本発明の第２特徴構成は、前記第１端辺部及び前記第２端辺部と略同じ高さ又はそれよりも上方側に配置されて、前記シートの取付姿勢を前記傾斜姿勢に維持する姿勢維持部が備えられている点にある。
【００１３】
本特徴構成によれば、姿勢維持部によってシートの取付姿勢が傾斜姿勢に維持されるので、例えば、作業途中でシートの取付姿勢が傾斜姿勢から崩れてしまう等の不都合を防止することができ、作業の全般に亘って雨除け対象空間及びその出入り口の雨除けを適切に行うことができる。しかも、姿勢維持部は、第１端辺部及び第２端辺部と略同じ高さ又はそれよりも上方側に配置されているので、姿勢維持部が雨除け対象空間に存在する作業者等の邪魔になるのを抑制できる。
【００１４】
本発明の第３特徴構成は、前記姿勢維持部は、前記第１端辺部及び前記第２端辺部における前記交差端部から離れる側の端部同士に亘るように備えられている点にある。
【００１５】
本特徴構成によれば、姿勢維持部は、第１端辺部及び第２端辺部における交差端部から離れる側の端部に配置されており、雨除け対象空間に存在する作業者等の邪魔になり難い。また、姿勢維持部は、その端部同士に亘るように備えられているので、例えば、その端部同士の間隔を維持するように紐状や棒状の部材にて繋ぐという比較的簡易な構成を採用するだけで、その端部同士の距離を維持することで、シートの取付姿勢を傾斜姿勢に維持できるだけでなく、その傾斜姿勢への姿勢維持をしっかりと行うことができる。
【００１６】
本発明の第４特徴構成は、前記シートを下方側から支持するフレームが備えられ、前記シート及び前記フレームは、平面視で前記交差端部から前記最上位部に向けて延びる基準線を中心として左右に備えられ、且つ、その基準線に沿って折り畳み自在に構成されている点にある。
【００１７】
本特徴構成によれば、シート及びフレームを基準線に沿って折り畳むことで、雨除け具をコンパクトにでき、持ち運び等が便利なものとなる。しかも、どこで折り畳むのかの基準が、交差端部から最上位部に向けて延びる基準線となっているので、どこで折り畳むのかを容易に判断でき、折り畳み作業の簡素化を図ることができる。
【００１８】
本発明の第５特徴構成は、前記フレームとして、前記第１端辺部を支持して前記本体の上部に取付自在な第１フレームと、前記第２端辺部を支持して前記扉の上部に取付自在な第２フレームと、前記交差端部から前記基準線に沿って延設されて前記最上位部を支持するように隣接配置された２つの第３フレームと、前記第１フレームと一方の前記第３フレームにおける前記交差端部から離れる側の端部同士を連結する第４フレームと、前記第２フレームと他方の前記第３フレームにおける前記交差端部から離れる側の端部同士を連結する第５フレームとが備えられ、２つの前記第３フレームは、前記基準線に沿う軸心周りで回転自在に連結されている点にある。
【００１９】
本特徴構成によれば、第１フレーム、第２フレーム、２つの第３フレーム、第４フレーム、第５フレームによって、シートを適切に支持することができ、このフレームの支持によってもシートの取付姿勢を傾斜姿勢に維持し易いものとなる。しかも、２つの第３フレームを基準線に沿う軸心周りに回転させることで、シート及びフレームを基準線に沿って折り畳むことができる。よって、第３フレームを回転させるという簡易な作業にて折り畳むことができるとともに、第３フレームが基準線に沿って延設されているので、基準線に沿った折り畳み自体が行い易いものとなる。
【００２０】
本発明の第６特徴構成は、前記第４フレーム及び前記第５フレームは、その途中部にて折り畳み自在に構成されている点にある。
【００２１】
本特徴構成によれば、上述の如く、基準線に沿って折り畳んだ状態で、更に、第４フレーム及び第５フレームの途中部にて折り畳むことができるので、雨除け具をより一層コンパクトにでき、持ち運び等が便利なものとなる。
【図面の簡単な説明】
【００２２】
【図１】自動販売機に対して雨除け具を取り付けた状態を示す斜視図
【図２】自動販売機に対して雨除け具を取り付けた状態を示す斜視図
【図３】自動販売機に対して雨除け具を取り付けた状態を示す平面図
【図４】自動販売機に対して雨除け具を取り付けた状態でのシートを取り除いた斜視図
【図５】雨除け具の折り畳み状態を示す図
【図６】図５の要部の拡大図
【図７】自動販売機に対して雨除け具を取り付けた状態を示す斜視図
【発明を実施するための形態】
【００２３】
本発明に係る雨除け具を自動販売機に適用した実施形態を図面に基づいて説明する。
自動販売機２００は、図１〜図４に示すように、自動販売機本体２０１に対して上下軸心周りで開閉自在な扉２０２を備えている。扉２０２が開かれた状態で、自動販売機本体２０１と開かれた扉２０２との間を作業空間として、商品の補充作業等を行うようにしている。雨除け具１００は、その作業空間を雨除け対象空間２０３とし、雨除け対象空間２０３の雨除けを行うように構成されている。ちなみに、図１及び図２は、自動販売機２００に対して雨除け具１００を取り付けた状態を示す斜視図であり、斜視する角度を変えている。図４は、図１及び図２においてシート１を取り除いた状態を示している。
【００２４】
雨除け具１００は、シート１とそのシート１を下方側から支持する複数のフレームＦ１〜Ｆ５（図４参照）とを備えており、複数のフレームＦ１〜Ｆ５が骨組みとなってシート１を展開し、その展開されたシート１にて雨除け対象空間２０３の上部を覆うようにしている。雨除け具１００は、自動販売機本体２０１及び開かれた扉２０２の上部にフレームＦ１、Ｆ２を載置させることで、雨除け対象空間２０３の上部をシート１にて覆うように自動販売機２００に取付自在に構成されている。
【００２５】
雨除け具１００を自動販売機２００に取り付けた状態において、シート１は、図２及び図３に示すように、自動販売機本体２０１の横幅方向に沿って自動販売機本体２０１の上部に配置可能な第１端辺部Ｔ１と、その第１端辺部Ｔ１の交差端部Ｃに一端部が交差して、開かれた扉２０２の横幅方向に沿って扉２０２の上部に配置可能な第２端辺部Ｔ２とを有している。自動販売機２００に対するシート１の取付姿勢は、第１端辺部Ｔ１と第２端辺部Ｔ２との間の途中で交差端部Ｃから離れる側の端部を最上位部Ｓとし、その最上位部Ｓから第１端辺部Ｔ１及び第２端辺部Ｔ２に向けて傾斜する傾斜姿勢となっている。この実施形態では、第１端辺部Ｔ１と第２端辺部Ｔ２との間の中央部で交差端部Ｃから離れる側の端部を最上位部Ｓとしている。
【００２６】
ここで、以下、交差端部Ｃに接近する側を「接近側」とし、交差端部Ｃから離れる側を「離間側」と称して説明する。
【００２７】
シート１は、平面視で、図２及び図３に示すように、交差端部Ｃから最上位部Ｓに向けて延びる基準線Ｋを中心として左右に備えられている。この実施形態では、平面視で、基準線Ｋを中心として左右対称な三角形を有する形状に形成されている。つまり、シート１は、第１端辺部Ｔ１と基準線Ｋと第３端辺部Ｔ３を３辺とする三角形と、第２端辺部Ｔ２と基準線Ｋと第４端辺部Ｔ４を３辺とする三角形との同一形状及び同一大きさの２つの三角形を組み合わせた形状に形成されている。第３端辺部Ｔ３は、第１端辺部Ｔ１の離間側の端部と最上位部Ｓとを結ぶ端辺部となっており、第４端辺部Ｔ４は、第２端辺部Ｔ２の離間側の端部と最上位部Ｓとを結ぶ端辺部となっている。
【００２８】
このように、シート１は、平面視で、交差端部Ｃを中心とする扇形状に展開自在に形成されており、雨除け対象空間２０３の全体に亘ってその上部を覆うのに十分な面積を有している。雨除け対象空間２０３は、第１端辺部Ｔ１及び第２端辺部Ｔ２の離間側（扉２０２の開閉端部側）が開放されており、その開放された部分が出入り口となっている。そこで、シート１は、第１端辺部Ｔ１と第２端辺部Ｔ２との間の途中部が、第１端辺部Ｔ１及び第２端辺部Ｔ２の離間側の端部よりも更に離間側に延設されている。したがって、シート１は、雨除け対象空間２０３だけでなく、その雨除け対象空間２０３の出入り口の上部をも覆うことができるだけの面積を有している。
【００２９】
更に、シート１は、平面視で、第１端辺部Ｔ１からシート外側に延設された第１延設部Ｅ１、第２端辺部Ｔ２からシート外側に延設された第２延設部Ｅ２、第３端辺部Ｔ３からシート外側に延設された第３延設部Ｅ３、第４端辺部Ｔ４からシート外側に延設された第４延設部Ｅ４を有している。これにより、雨除け具１００が自動販売機２００に取り付けられた状態において、第１延設部Ｅ１が自動販売機本体２０１の上部をその前後幅方向に延びるように配置され、第２延設部Ｅ２が扉２０２の上部をその前後幅方向に延びるように配置され、第３延設部Ｅ３及び第４延設部Ｅ４が下方側に垂れ下がるように配置されている。
【００３０】
シート１を下方側から支持するフレームとして、図４及び図５（ａ）に示すように、第１フレームＦ１と第２フレームＦ２と２つの第３フレームＦ３と第４フレームＦ４と第５フレームＦ５が備えられており、いずれのフレームも棒状に形成されている。第１フレームＦ１と第２フレームＦ２は、同じ長さに形成されており、第４フレームＦ４と第５フレームＦ５は、同じ長さに形成されている。
【００３１】
第１フレームＦ１は、シート１の第１端辺部Ｔ１を支持して自動販売機本体２０１の上部に取付自在に構成されている。この第１フレームＦ１には、クリップ状の第１取付部２が備えられており、この第１取付部２によって自動販売機本体２０１の上部を挟み込むことで、第１フレームＦ１を自動販売機本体２０１の上部に取り付けるようにしている。この第１取付部２は、第１フレームＦ１の長手方向に沿って移動自在に備えられており、自動販売機本体２０１の上部に取り付ける際には、第１取付部２の位置を調整できるようになっている。
【００３２】
第２フレームＦ２は、シート１の第２端辺部Ｔ２を支持して扉２０２の上部に取付自在に構成されている。この第２フレームＦ２には、磁力により吸着自在な第２取付部３（磁石）が備えられており、この第２取付部３によって第２フレームＦ２を扉２０２の上部に取り付けるようにしている。第２取付部３は、第１取付部２と同様に、第２フレームＦ２の長手方向に沿って移動自在に備えられており、扉２０２の上部に取り付ける際には、第２取付部３の位置を調整できるようになっている。
【００３３】
２つの第３フレームＦ３は、シート１の交差端部Ｃから基準線Ｋに沿って延設されて最上位部Ｓを支持するように左右に隣接配置されている（図２及び図４参照）。第４フレームＦ４は、第１フレームＦ１と一方の第３フレームＦ３における離間側の端部同士を連結するように備えられている。第５フレームＦ５は、第２フレームＦ２と他方の第３フレームＦ３における離間側の端部同士を連結するように備えられている。
【００３４】
このように、各フレームの端部同士を連結して骨組を構成しており、図４及び図５（ａ）に示すように、シート１と同様に、平面視で基準線Ｋ（２つの第３フレームＦ３の間の隣接箇所に沿って延びる線）を中心として左右対称な三角形を有する形状に形成されている。つまり、平面視において、第１フレームＦ１と一方の第３フレームＦ３と第４フレームＦ４を３辺とする三角形と、第２フレームＦ２と他方の第３フレームＦ３と第５フレームＦ５を３辺とする三角形との同一形状及び同一大きさの三角形を組み合わせた形状に形成されている。ちなみに、図５（ａ）では、シート１を取り除いた状態を示しているが、シート１における交差端部Ｃから最上位部Ｓに向かう基準線Ｋのみを点線にて示している。
【００３５】
各フレーム同士の連結については、第１フレームＦ１、第２フレームＦ２、第３フレームＦ３、第４フレームＦ４、第５フレームＦ５における端部同士が、第１連結部材Ｒ１によって、フレーム同士が交差する方向に対して直交する軸心周りで揺動自在に枢支連結されている。そして、２つの第３フレームＦ３の連結については、第２連結部材Ｒ２によって、基準線Ｋ（第３フレームＦ３の長手方向）に沿う軸心周りで回転自在に連結されている。
【００３６】
図６に基づいて、第１連結部材Ｒ１及び第２連結部材Ｒ２について説明を加える。図６は、第１連結部材Ｒ１による連結のうち、一方の第３フレームＦ３と第４フレームＦ４の連結、及び、他方の第３フレームＦ３と第５フレームＦ５の連結における連結構成を示しているが、他のフレーム同士の連結についても同様の連結構成を採用している。図６（ａ）は、図５（ａ）の該当する箇所を拡大した図であり、図６（ｂ）は、図５（ｂ）の該当する箇所を拡大した図である。
【００３７】
第１連結部材Ｒ１は、第３フレームＦ３の端部に外嵌固定された円筒状の第１筒状部材Ｐ１と、第４、第５フレームＦ４、Ｆ５の端部に外嵌固定された円筒状の第２筒状部材Ｐ２とを備えている。第１筒状部材Ｐ１には、その長手方向の中央部から第４、第５フレームＦ４、Ｆ５側に突出する突出部Ｐ３が備えられており、その突出部Ｐ３の先端部と第２筒状部材Ｐ２の端部とがフレーム同士が交差する方向に対して直交する軸部Ｐ４周りで揺動自在に枢支連結されている。
【００３８】
第２連結部材Ｒ２は、一方の第３フレームＦ３に外嵌固定された円筒状の第３筒状部材Ｐ５と、他方の第３フレームＦ３に外嵌固定された円筒状の第４筒状部材Ｐ６とを備えている。第３筒状部材Ｐ５と第４筒状部材Ｐ６は、第３フレームＦ３の長手方向に沿う軸部Ｐ７周りに回転自在に連結されている。また、第２連結部材Ｒ２を配置する箇所には、第１連結部材Ｒ１も配置されているので、第３フレームＦ３の端部に第１連結部材Ｒ１の第１筒状部材Ｐ１を配置し、その第１筒状部材Ｐ１に隣接して第２連結部材Ｒ２の第３筒状部材Ｐ５及び第４筒状部材Ｐ６を配置しており、第１連結部材Ｒ１と第２連結部材Ｒ２を隣接配置している。
【００３９】
雨除け具１００を自動販売機２００に取り付けた状態において、シート１の第１端辺部Ｔ１及び第２端辺部Ｔ２における離間側の端部同士に亘るように紐状の亘り部材４が備えられている。この亘り部材４は、第１フレームＦ１及び第２フレームＦ２の離間側の端部同士に亘って設けられている。亘り部材４は、雨除け具１００を自動販売機２００に取り付けた状態において、第１端辺部Ｔ１及び第２端辺部Ｔ２と略同じ高さ又はそれよりも上方側に配置されている。また、亘り部材４は、図示は省略するが、その長さを調整自在に構成されており、第１端辺部Ｔ１及び第２端辺部Ｔ２における離間側の端部同士の距離が変更されても、その長さを調整することで、変更後の離間側の端部同士に亘って配置される状態を維持できるようになっている。
【００４０】
シート１は、フレームＦ１〜Ｆ５に対して着脱自在に構成されている。シート１の端部を各フレームＦ１〜Ｆ５における端部同士の連結箇所に引っ掛けることで、シート１をフレームＦ１〜Ｆ５に装着するようにしている。図６（ａ）に示すように、各フレームＦ１〜Ｆ５における端部同士の連結箇所には、第１連結部材Ｒ１が配置されており、その第１連結部材Ｒ１にシート外側に延設された棒状の延設部６が備えられている。一方、シート１にも、交差端部Ｃ、第１端辺部Ｔ１の離間側の端部、第２端辺部Ｔ２の離間側の端部、最上位部Ｓの夫々に、シート外側に延設されたリング部７が備えられている。これにより、各リング部７を各延設部６に外嵌させるように引っ掛けることで、フレームＦ１〜Ｆ５にシート１を装着している。
【００４１】
図６（ａ）は、一方の第３フレームＦ３と第４フレームＦ４の連結箇所、他方の第３フレームＦ３と第５フレームＦ５の連結箇所、２つの第３フレームＦ３の連結箇所において、シート１を装着する構成を示しているが、他のフレーム同士の連結箇所においても、同様の構成を採用してシート１を装着するようにしている。また、図６（ａ）に示すものでは、一方の第３フレームＦ３と第４フレームＦ４を連結する第１連結部材Ｒ１と、他方の第３フレームＦ３と第５フレームＦ５を連結する第１連結部材Ｒ１とが隣接配置されているので、それら２つの第１連結部材Ｒ１の夫々から延設された２つの延設部６に対して、シート１側に備えられた１つのリング部７を引っ掛けるようにしている。
【００４２】
上述の亘り部材４も、詳細な図示は省略するが、シート１と同様に、第１フレームＦ１及び第２フレームＦ２に対して着脱自在に構成されている。つまり、亘り部材４の両端部にリング部が備えられており、そのリング部を第１フレームＦ１の端部に位置する第１連結部材Ｒ１の延設部と第２フレームＦ２の端部に位置する第１連結部材Ｒ１の延設部とに外嵌させるように引っ掛けることで、第１フレームＦ１及び第２フレームＦ２の端部同士に亘るように亘り部材４を装着している。
【００４３】
図５に示すように、シート１及びフレームＦ１〜Ｆ５は折り畳み自在に構成されている。シート１及びフレームＦ１〜Ｆ５は、図５（ａ）に示す状態から、２つの第３フレームＦ３を相対回転させることで、図５（ｂ）に示すように、基準線Ｋに沿って折り畳み自在に構成されている。更に、第４フレームＦ４及び第５フレームＦ５が、図５（ｃ）に示すように、その途中部にて折り畳み自在に構成されている。第４フレームＦ４及び第５フレームＦ５は、その長手方向の中央部にて２分割されており、分割された分割フレームの夫々がその長手方向に対して直交する軸心周りで揺動自在に中間部材５に枢支連結されている。これにより、第１フレームＦ１、第２フレームＦ２、第３フレームＦ３の交差部側に中間部材５を押すことで、第４フレームＦ４及び第５フレームＦ５の分割フレームが中間部材５に対して揺動し、第４フレームＦ４及び第５フレームＦ５をその交差部側に折り畳めるようになっている。
【００４４】
以下、雨除け具１００の使い方について説明する。
図１〜図４に示すように、シート１及びフレームＦ１〜Ｆ５を、平面視で交差端部Ｃを中心とする扇形状に展開させた状態で、第１フレームＦ１を自動販売機本体２０１の上部に載置させるとともに、第２フレームＦ２を開かれた扉２０２の上部に載置させ、第１取付部２によって第１フレームＦ１を自動販売機本体２０１の上部に固定し、第２取付部３によって第２フレームＦ２を扉２０２の上部に固定している。
【００４５】
このように雨除け具１００を自動販売機２００に取り付けることで、シート１の取付姿勢が傾斜姿勢となって、第１端辺部Ｔ１と第２端辺部Ｔ２との間の中央部で交差端部Ｃから離れる側の端部が自動販売機本体２０１及び扉２０２の上部よりも上方側の最上位部Ｓとなり、第１端辺部Ｔ１及び第２端辺部Ｔ２が自動販売機本体２０１及び扉２０２の上部の最下位に位置することになる。これにより、シート１は、最上位部Ｓから第１端辺部Ｔ１まで一連に傾斜する傾斜面と最上位部Ｓから第２端辺部Ｔ２まで一連に傾斜する傾斜面の２つの傾斜面のみを有する状態となり、シート１の全体が傾斜するように取り付けられる。つまり、図３に示すように、平面視で基準線Ｋを中心として左右対称な三角形が形成されており、一方の三角形は、最上位部Ｓを最上位の頂点とし、第１端辺部Ｔ１の両端部を最下位の頂点とする傾斜面となっており、他方の三角形は、最上位部Ｓを最上位の頂点とし、第２端辺部Ｔ２の両端部を最下位の頂点とする傾斜面となっている。したがって、雨水は、シート１の上部で滞留することなく、２つの傾斜面のいずれかによって案内され、第１端辺部Ｔ１側や第２端辺部Ｔ２側のどちらかに案内されることになる。ここで、雨除け対象空間２０３において、シート１の離間側（扉２０２の開閉端部側）に開放された出入り口が配置されることになる。シート１の傾斜面は、上述の２つの傾斜面のみが存在するだけであるので、この出入り口側に向けて傾斜する傾斜面が存在しておらず、出入り口側に雨水が案内されることなく、その出入り口を出入りする作業者等に雨水がかかるのを抑制できる。
【００４６】
しかも、シート１は、第１端辺部Ｔ１と第２端辺部Ｔ２との間の途中部が、第１端辺部Ｔ１及び第２端辺部Ｔ２の離間側の端部よりも更に離間側に延設されており、雨除け対象空間２０３の出入り口の上部も覆っているので、雨除け対象空間２０３だけでなく、その出入り口の雨除けも適切に行うことができる。
【００４７】
また、第１延設部Ｅ１が第１端辺部Ｔ１に連続して自動販売機本体２０１の上部で前後幅方向に延びるように配置されているので、第１端辺部Ｔ１に案内された雨水を更に第１延設部Ｅ１にて自動販売機本体２０１の後方側に案内することができ、雨除け対象空間２０３側に雨水が漏れてくることを適切に抑制できる。第２延設部Ｅ２も同様に、第２端辺部Ｔ２に連続して扉２０２の上部で前後幅方向に延びるように配置されているので、雨除け対象空間２０３側に雨水が漏れてくることを適切に抑制できる。更に、第３延設部Ｅ３及び第４延設部Ｅ４が下方側に垂れるように配置されているので、雨除け対象空間２０３に対する上方斜めからの雨水の浸入を抑制することができる。
【００４８】
ここで、シート１は自動販売機２００に固定されたフレームＦ１〜Ｆ５にて下方側から支持されているので、そのフレームＦ１〜Ｆ５によってシート１の取付姿勢を傾斜姿勢に維持するように作用させることができる。この実施形態では、フレームＦ１〜Ｆ５による作用力に加えて、シート１の取付姿勢を傾斜姿勢に維持するための亘り部材４を備えることで、シート１の取付姿勢を傾斜姿勢に適切に維持するようにしている。
【００４９】
例えば、開かれた扉２０２が更に開き側に移動したり、第１フレームＦ１や第２フレームＦ２がお互いに離れる側に移動しようとすると、第１端辺部Ｔ１及び第２端辺部Ｔ２における離間側の端部同士の間隔を広げようとする動きが生じる。この動きが生じた場合には、第１端辺部Ｔ１及び第２端辺部Ｔ２における離間側の端部同士の間隔が広がるに伴って、最上位部Ｓが下方側に移動し、その下方側への移動量が大きくなると、最上位部Ｓがシート１の他の部位よりも下方側に移動してしまい、シート１の取付姿勢が傾斜姿勢から崩れてしまうことになる。そこで、亘り部材４を、シート１の第１端辺部Ｔ１及び第２端辺部Ｔ２における離間側の端部同士に亘るように備えることで、上述の動きが生じても、第１端辺部Ｔ１及び第２端辺部Ｔ２における離間側の端部同士の間に張力を作用させて、第１端辺部Ｔ１及び第２端辺部Ｔ２における離間側の端部同士の間隔を所望の間隔よりも広がるのを抑制して、シート１の取付姿勢を傾斜姿勢に維持している。
【００５０】
このようにして、フレームＦ１〜Ｆ５及び亘り部材４によってシート１の取付姿勢を傾斜姿勢に維持できることから、雨除け対象空間２０３及びその出入り口の雨除けを適切に行うことができ、商品を梱包するダンボール箱や作業者が雨水に濡れることなく、商品の補充作業等の各種の作業を行うことができる。
【００５１】
そして、各種の作業が完了すると、第１取付部２による取り付けを解除して自動販売機本体２０１の上部から第１フレームＦ１を取り外すとともに、第２取付部３による取り付けを解除して扉２０２の上部から第２フレームＦ２を取り外すことで、雨除け具１００を自動販売機２００から取り外すようにしている。
【００５２】
取り外された雨除け具１００は、上述の如く、フレームＦ１〜Ｆ５が折り畳み自在となっているので、まずは、図５（ａ）の状態から、２つの第３フレームＦ３を相対回転させて、図５（ｂ）に示すように、シート１の基準線Ｋに沿って折り畳むようにしている。次に、第４フレームＦ４及び第５フレームＦ５における中間部材５を押すことで、図５（ｃ）に示すように、第４フレームＦ４及び第５フレームＦ５の途中部にて折り畳むようにしている。このようにして、第１フレームＦ１、第２フレームＦ２、２つの第３フレームＦ３、及び、途中部にて折り畳んだ第４、第５フレームＦ４，Ｆ５を重ね合わせるように、ひとまとめにすることができる。シート１についても、フレームＦ１〜Ｆ５に装着したままの状態で、フレームＦ１〜Ｆ５と一緒に折り畳むことができる。このように、シート１及びフレームＦ１〜Ｆ５をコンパクトに折り畳むことができるので、持ち運びにも便利であり、使い勝手のよいものとなる。そして、雨除け具１００を使用するときには、折り畳んだシート１及びフレームＦ１〜Ｆ５を展開すればよいだけなので、その雨除け具１００の設置作業も簡易に行うことができる。
【００５３】
シート１については、上述の如く、フレームＦ１〜Ｆ５に対して着脱自在であるので、フレームＦ１〜Ｆ５を折り畳む前、折り畳みの途中、及び、折り畳んだ後のいずれかのタイミングで、フレームＦ１〜Ｆ５から取り外して、フレームＦ１〜Ｆ５とは別に適宜折り畳むこともできる。
【００５４】
図１〜図４では、自動販売機本体２０１に対する扉２０２の開き角度を９０度程度とした状態での雨除け具１００を示しているが、図７に示すように、自動販売機本体２００に対する扉２０２の開き角度を９０度よりも小さい角度としても、自動販売機２０１に雨除け具１００を取り付けることができる。この場合でも、シート１の取付姿勢を傾斜姿勢とすることができ、亘り部材４もその長さを調整することで、シート１の取付姿勢を傾斜姿勢に維持することができる。この場合には、図１〜図４に示すよりも、最上位部Ｓの位置が上方側に位置しており、最上位部Ｓから第１端辺部Ｔ１及び第２端辺部Ｔ２に向けて傾斜する傾斜角度が大きくなっている。よって、扉２０２の開き具合が異なる場合でも、シート１を傾斜姿勢に適切に取り付けることができ、雨除け対象空間２０３及びその出入り口の雨除けを適切に行うことができる。ちなみに、この図７では、シート１を点線にて示している。
【００５５】
〔別実施形態〕
（１）上記実施形態では、シート１を傾斜姿勢に取り付けた場合に、最上位部Ｓから第１端辺部Ｔ１まで一連に傾斜する傾斜面と最上位部Ｓから第２端辺部Ｔ２まで一連に傾斜する傾斜面の２つの傾斜面のみが有する状態としている。
【００５６】
これに代えて、例えば、最上位部Ｓから第１端辺部Ｔ１に向けて段階的に傾斜するように、傾斜角度の異なる複数の傾斜面を有するとともに、最上位部Ｓから第２端辺部Ｔ２に向けて段階的に傾斜するように、傾斜角度の異なる複数の傾斜面を有する状態とすることもできる。また、例えば、シート１の交差端部Ｃから離れる側の端部に、交差端部Ｃに接近する側を下方側として傾斜する傾斜面を有する場合には、この傾斜面にて雨除け対象空間２０３の出入り口へ雨水が流れることを抑制できるので、この傾斜面よりも交差端部Ｃに接近する領域に、シート１の交差端部Ｃに接近する側が離間する側よりも上方側に位置するような傾斜面を有する状態とすることもできる。
【００５７】
このように、傾斜する向きや傾斜角度の異なる複数の傾斜面を有する状態とすることもでき、雨除け対象空間２０３の出入り口側への雨水の流れを抑制でき、最終的に第１端辺部Ｔ１及び第２端辺部Ｔ２のいずれかに雨水を案内するように、最上位部Ｓから第１端辺部Ｔ１及び第２端辺部Ｔ２に向けて傾斜するものであれば、各種の傾斜面を有する状態とすることができる。
【００５８】
（２）上記実施形態では、シート１の全体が傾斜するようにしているが、例えば、最上位部Ｓから、傾斜面、平坦面、傾斜面を経て、第１端辺部Ｔ１に至るように、側面視で階段状になるようにすることもできる。つまり、最上位部Ｓから第１端辺部Ｔ１及び第２端辺部Ｔ２に向けて概ね傾斜していれば、その途中に多少平坦な部分が存在していてもよい。
【００５９】
（３）上記実施形態では、第１端辺部Ｔ１と第２端辺部Ｔ２との間の中央部で交差端部Ｃから離れる側の端部を最上位部Ｓとしているが、第１端辺部Ｔ１と第２端辺部Ｔ２との間の途中であればどのような位置を最上位部Ｓとしてもよい。
【００６０】
（４）上記実施形態では、第１端辺部Ｔ１と第２端辺部Ｔ２との間の中央部で交差端部Ｃから離れる側の端部の１点を最上位部Ｓとしているが、最上位部はその端部の１点に限らず、その端部を含めた直線上の領域とすることもできる。例えば、第１端辺部Ｔ１と第２端辺部Ｔ２との間の途中で交差端部Ｃから離れる側の端部から基準線Ｋに沿って交差端部Ｃに向けて延びる、その端部を含めた直線上の領域を最上位部とすることもできる。
【００６１】
（５）上記実施形態では、シート１の第１端辺部Ｔ１及び第２端辺部Ｔ２における離間側の端部同士に亘る亘り部材４を姿勢維持部として備えているが、例えば、２つの第３フレームＦ３の相対回転を規制することで、第１端辺部Ｔ１及び第２端辺部Ｔ２における離間側の端部同士の距離を所望の距離に維持するロック部材を設け、そのロック部材を姿勢維持部とすることもできる。また、亘り部材４を備える場合でも、紐状のものに限らず、棒状のもの等、各種の部材を適用することができる。
【００６２】
（６）上記実施形態では、本発明に係る雨除け具１００を自動販売機２００に適用した例を示したが、例えば、扉が車体に対して上下軸心周りで開閉自在に備えられた自動車等にも適用することができ、扉が本体に対して上下軸心周りで開閉自在に備えられた各種の機器に適用することができる。
【産業上の利用可能性】
【００６３】
本発明は、本体に対して上下軸心周りで扉が開かれた状態で、その本体と開かれた扉との間の雨除け対象空間だけでなく、その雨除け対象空間の出入り口をも雨除け行うことができる各種の雨除け具に適用可能である。
【符号の説明】
【００６４】
１        シート
４        姿勢維持部（亘り部材）
１００    雨除け具
２０１    本体（自動販売機本体）
２０２    扉
２０３    雨除け対象空間
Ｃ        交差端部
Ｋ        基準線
Ｓ        最上位部
Ｔ１      第１端辺部
Ｔ２      第２端辺部
【図１】
2016006580.tif 000003
【図２】
2016006580.tif 000004
【図３】
2016006580.tif 000005
【図４】
2016006580.tif 000006
【図５】
2016006580.tif 000007
【図６】
2016006580.tif 000008
【図７】
2016006580.tif 000009